(57)【要約】【課題】ＬＥＤ式灯器の点灯状態を監視でき、装置が故障した場合にもフェールセーフモードにてＬＥＤ式灯器を点灯可能とすることである。【解決手段】故障検出・インターフェース回路２８のフェールセーフ部４８は、交流定電流電源装置１１から出力される電力をゴム被覆絶縁変圧器１２を介して入力しＬＥＤ式灯器２２を点灯制御する点灯制御回路２３の自己診断により点灯制御回路２３の異常が検出されたとき、または監視制御装置２０と通信を行う伝送装置１９の故障検出部４６により伝送装置１９の故障が検出されたとき、または監視制御装置２０からの伝送信号が異常となったことを検出する伝送信号異常検出部４７により伝送信号の異常若しくは途切れが検出されたときに、ＬＥＤ式灯器の点灯状態を予め設定されたフェールセーフモード状態へ強制的に移行させて保持する。【選択図】図１
2011070947.tif 000002
【特許請求の範囲】
【請求項１】
交流定電流電源装置から出力される電力をゴム被覆絶縁変圧器を介して入力しＬＥＤ式灯器を点灯制御する点灯制御回路と；
監視制御装置と通信を行う伝送装置と；
前記点灯制御回路と前記伝送装置との間に設けられた故障検出・インターフェース回路とを有し、
前記故障検出・インターフェース回路は、前記点灯制御回路の自己診断により前記点灯制御回路の異常が検出されたとき、または前記伝送装置の故障検出部により前記伝送装置の故障が検出されたとき、または前記監視制御装置からの伝送信号が異常となったことを検出する伝送信号異常検出部により伝送信号の異常若しくは途切れが検出されたときに、前記ＬＥＤ式灯器の点灯状態を予め設定されたフェールセーフモード状態へ強制的に移行させて保持するフェールセーフ部を備えたことを特徴とするＬＥＤ式灯器点灯装置。
【請求項２】
前記故障検出・インターフェース回路は、前記点灯制御回路の制御電源を供給する補助電源回路が故障したときは、フェールセーフモード状態が点灯状態であるＬＥＤ式灯器に対して、前記ゴム被覆絶縁変圧器の二次側から前記ＬＥＤ式灯器に点灯用電源を供給する電源切替部を備えたことを特徴とする請求項１記載のＬＥＤ式灯器点灯装置。
【請求項３】
前記故障検出・インターフェース回路は、前記ＬＥＤ式灯器への電流が異常になったときに点灯異常として前記伝送装置を介して前記監視制御装置にアラームを出力することを特徴とする請求項１または２記載のＬＥＤ式灯器点灯装置。
【請求項４】
前記故障検出・インターフェース回路は、前記点灯制御回路の入力電流値と前記ＬＥＤ式灯器に供給する電流の予め設定しているオンデューティとが合致しなかったときに回路異常として前記伝送装置を介して前記監視制御装置にアラームを出力することを特徴とする請求項１ないし３のいずれか一記載のＬＥＤ式灯器点灯装置。
【請求項５】
前記故障検出・インターフェース回路は、前記点灯制御回路の入力電流値が異常になったことを検出したときに回路異常として前記伝送装置を介して前記監視制御装置にアラームを出力することを特徴とする請求項１ないし４のいずれか一記載のＬＥＤ式灯器点灯装置。
【請求項６】
前記故障検出・インターフェース回路は、前記点灯制御回路の二次側が無負荷になったときに負荷異常として前記伝送装置を介して前記監視制御装置にアラームを出力することを特徴とする請求項１ないし５のいずれか一記載のＬＥＤ式灯器点灯装置。
【請求項７】
前記故障検出・インターフェース回路は、自己の前記ＬＥＤ式灯器の個別アドレスやグループアドレスを格納するアドレス設定部と、前記監視制御装置からの指令信号が前記アドレス設定部に設定されたアドレスと合致するときは前記監視制御装置からの指令信号に基づき前記ＬＥＤ式灯器を点灯または消灯するオンオフ制御部とを備えたことを特徴とする請求項１ないし６のいずれか一記載のＬＥＤ式灯器点灯装置。
【発明の詳細な説明】
【技術分野】
【０００１】
本発明は、空港などに用いられるＬＥＤ式灯器を点灯するためのＬＥＤ式灯器点灯装置に関する。
【背景技術】
【０００２】
空港などに用いられる灯器には、一般に光源にハロゲン電球などの白熱電球が用いられている（例えば、特許文献１参照）。これら灯器は交流定電流電源の出力端に直列接続され、交流定電流電源から点灯用の電源が供給される。そして、周囲の明るさが変化しても標識の見え方を良好に維持するために、灯器は周囲の明るさに応じて交流定電流電源の出力電流を切り換えることによって灯器が所定の光度比率で作動するように制御される。
【０００３】
この場合の交流定電流電源の出力電流の切り換えは、光源が白熱電球である場合の特性に合わせて、例えば、交流定電流電源に出力電流の切換タップを配設して、光度比率を１００％、２５％、５％、１％および０．２％の５段階の中から所望により選択される。
【０００４】
一方、最近は光源としてＬＥＤを用いたものも開発されている（例えば、特許文献２参照）。光源としてＬＥＤを用いたものであっても、発熱電球の場合と同様に交流定電流電源から点灯用の電源が供給されるので、光源としてＬＥＤを用いた場合には、交流定電流を直流に変換し、さらに白熱電流の特性をＬＥＤの特性に変換してＬＥＤの点灯電源を得るようにしている。
【０００５】
図２は光源に白熱電球を用いた従来の電球式灯器点灯装置の構成図である。図２に示すように、交流定電流電源装置（ＣＣＲ）１１からゴム被覆絶縁変圧器１２を介して端末制御器１３に交流定電流が入力され、電球式灯器１４に点灯電源が供給される。端末制御器１３では、制御回路１５により、端末制御器１３内のスイッチ１６のオンオフ制御ができるように構成されており、スイッチ１６のオンオフ制御により電球式灯器１４を点灯／消灯させることができるようになっている。スイッチ１６をオンしたときは電球式灯器１４は消灯し、スイッチ１６をオフしたときは電球式灯器１４は点灯する。
【０００６】
また、制御回路１５は、電流検出器１７で検出された交流定電流電源装置（ＣＣＲ）１１から供給される交流定電流及び電圧検出器１８で検出された電圧を入力し、これら電流及び電圧を監視しながら電球式灯器１４の点灯状態の監視をしている。そして、端末制御器１３の制御回路１５は伝送装置１９を介して監視制御装置２０に端末制御器１３の監視情報を通信するようにしている。
【０００７】
伝送装置１９の通信系や点灯電源供給回路などに異常が発生した場合には、制御回路１５はフェールセーフモードで電球式灯器を制御するようにしている。フェールセーフモード制御とは、装置が故障した場合において、制御システムとして安全な方向に動作するように制御することをいう。例えば、空港において灯火を点灯・消灯制御する装置にて故障が発生した際に、灯火が消灯するとパイロットに誤った情報を与える可能性がある場合には、フェールセーフモード制御では灯火を点灯するように制御する。このように、点灯消灯制御を行う装置が故障した際には、航空機に危険を生じない方向へフェールセーフ制御を行うことになるが、このフェールセーフモード制御機能は空港の安全に大きく関わる重要な機能である。
【０００８】
次に、図３は光源にＬＥＤを用いた従来のＬＥＤ式灯器点灯装置の構成図である。図３に示すように、交流定電流電源装置（ＣＣＲ）１１からゴム被覆絶縁変圧器１２を介してＬＥＤ式灯器点灯装置２１に交流定電流が入力され、ＬＥＤ式灯器点灯装置２１では、交流定電流を直流に変換し、さらに白熱電流の特性をＬＥＤの特性に変換してＬＥＤの点灯電源を得てＬＥＤ式灯器２２に点灯電源を供給するように構成されている。
【０００９】
すなわち、ＬＥＤ式灯器点灯装置２１の点灯制御回路２３では、交流定電流を直流電源回路２４で直流に変換し、過電圧保護回路２５及びスイッチ回路２６を介してＬＥＤ式灯器２２に直流定電圧を供給する。過電圧保護回路２５はＬＥＤが開放故障（断線故障）した場合に点灯電源供給回路に発生する過電圧を検出するものであり、過電圧を検出したときはＬＥＤ式灯器点灯装置２１の動作を停止するものである。スイッチ回路２６は、スイッチ制御回路２７からの指令に基づき制御され、スイッチ制御回路２７は白熱電流の特性をＬＥＤの特性に変換してＬＥＤの点灯電流を制御する。
【先行技術文献】
【特許文献】
【００１０】
【特許文献１】特開平７−２３７５９８号公報
【特許文献２】特開２００６−１３９７５５号公報
【発明の概要】
【発明が解決しようとする課題】
【００１１】
電球式灯器の場合には、端末制御器１３により異常が発生した場合には、スイッチ１６をオンオフすることで電球式灯器をフェールセーフモードへ切換をすることができたが、ＬＥＤ式灯器２２の場合には、スイッチング制御回路２７によりスイッチ回路２６を介してＬＥＤ式灯器２２を点灯制御しているので、点灯制御回路２３の異常時にフェールセーフモードへ切替えることができないことがあった。
【００１２】
また、交流定電流電源装置１１は定電流電源であるので、無負荷になると高電圧が発生するが、点灯制御回路２３には回路を保護するための過電圧保護回路２５が設けられており、この過電圧保護回路２５の動作により、点灯制御回路２３が動作を停止するので、ＬＥＤ式灯器２２のＬＥＤが開放状態で故障しても、電球式灯器１４のようにゴム被覆絶縁変圧器１１の二次側に高電圧が発生しなくなり、ＬＥＤ式灯器２２の灯火状態を監視することができない。さらに、ＬＥＤ式灯器２２の点灯制御回路２３における動作状態の確認や、点灯異常、回路異常、負荷異常の状態も監視できないものであった。
【００１３】
本発明の目的は、ＬＥＤ式灯器の点灯状態を監視でき、装置が故障した場合にもフェールセーフモードにてＬＥＤ式灯器を点灯できるＬＥＤ式灯器点灯装置を提供することである。
【課題を解決するための手段】
【００１４】
請求項１の発明に係わるＬＥＤ式灯器点灯装置は、交流定電流電源装置から出力される電力をゴム被覆絶縁変圧器を介して入力しＬＥＤ式灯器を点灯制御する点灯制御回路と；監視制御装置と通信を行う伝送装置と；前記点灯制御回路と前記伝送装置との間に設けられた故障検出・インターフェース回路とを有し、前記故障検出・インターフェース回路は、前記点灯制御回路の自己診断により前記点灯制御回路の異常が検出されたとき、または前記伝送装置の故障検出部により前記伝送装置の故障が検出されたとき、または前記監視制御装置からの伝送信号が異常となったことを検出する伝送信号異常検出部により伝送信号の異常若しくは途切れが検出されたときに、前記ＬＥＤ式灯器の点灯状態を予め設定されたフェールセーフモード状態へ強制的に移行させて保持するフェールセーフ部を備えたことを特徴とする。
【００１５】
本発明及び以下の発明において、特に指定しない限り用語の定義及び技術的意味は以下による。
【００１６】
交流定電流電源装置は、定電流化された出力電流を直列接続された複数の負荷としてのＬＥＤ式灯器に対して出力するものであり、切換タップにより出力電流を切り換えてＬＥＤ式灯器の光度を所定の割合（光度比率）で点灯することができるものである。切換タップは、例えば複数の段階で切り換えられ、切換タップの段階に応じて出力電流が変わり光度が変わる。
【００１７】
所定の光度比率は、ＬＥＤ式灯器を設置している周囲の明るさが変化しても、標識灯の見え方を常に良好に維持することを目的として、標識灯の光度をそのときの周囲の明るさに応じて制御するために定められる。通常、所定の光度比率は、ＬＥＤ式灯器のＬＥＤの比光度−比電流特性とは異なる比光度−比電流特性、例えばハロゲン電球等の白熱電球の比光度−比電流特性に基づいて定められている。
【００１８】
点灯制御回路は交流定電流電源装置からの出力電流を整流し、ＬＥＤ式灯器のＬＥＤに印加される電圧を一定に調整するとともに、交流定電流電源装置からの出力電流に基づいてＬＥＤの比光度−比電流特性に変換し、ＬＥＤ式灯器のＬＥＤを流れる電流をデューティ制御するものである。
【００１９】
故障検出・インターフェース回路は、監視制御装置と通信を行う伝送装置と点灯制御回路との間に設けられ、点灯制御回路、伝送装置、伝送装置の伝送信号の異常を検出したときは、ＬＥＤ式灯器の点灯状態を予め設定されたフェールセーフモード状態へ強制的に移行させて保持するものである。フェールセーフモード状態とは、装置が故障したときや信号が異常となったときに、装置が安全な方向に動作するような状態にすることをいう。
【００２０】
請求項２の発明に係わるＬＥＤ式灯器点灯装置は、請求項１の発明において、前記故障検出・インターフェース回路は、前記点灯制御回路の制御電源を供給する補助電源回路が故障したときは、フェールセーフモード状態が点灯状態であるＬＥＤ式灯器に対して、前記ゴム被覆絶縁変圧器の二次側から前記ＬＥＤ式灯器に点灯用電源を供給する電源切替部を備えたことを特徴とする。
【００２１】
本発明は、点灯制御回路の補助電源回路が故障したときは、フェールセーフモード状態が点灯状態であるＬＥＤ式灯器に対して、点灯制御回路はＬＥＤ式灯器のＬＥＤを流れる電流をデューティ制御できなくなるので、ゴム被覆絶縁変圧器の二次側からＬＥＤ式灯器に直接的に点灯用電源を供給するようにしたものである。
【００２２】
請求項３の発明に係わるＬＥＤ式灯器点灯装置は、請求項１または２の発明において、前記故障検出・インターフェース回路は、前記ＬＥＤ式灯器への電流が異常になったときに点灯異常として前記伝送装置を介して前記監視制御装置にアラームを出力することを特徴とする。
【００２３】
本発明は、例えば、故障検出・インターフェース回路に、ＬＥＤ式灯器への電流を監視する電流異常検出部を設け、ＬＥＤ式灯器への電流が予め定めた範囲を逸脱したときは点灯異常と判定するようにしたものである。
【００２４】
請求項４の発明に係わるＬＥＤ式灯器点灯装置は、請求項１ないし３のいずれか一の発明において、前記故障検出・インターフェース回路は、前記点灯制御回路の入力電流値と前記ＬＥＤ式灯器に供給する電流の予め設定しているオンデューティとが合致しなかったときに回路異常として前記伝送装置を介して前記監視制御装置にアラームを出力することを特徴とする。
【００２５】
本発明は、例えば、故障検出・インターフェース回路に、ＬＥＤ式灯器に供給する電流の予め設定しているオンデューティを監視するオンデューティ異常検出部を設け、点灯制御回路の入力電流値とＬＥＤ式灯器に供給する電流の予め設定しているオンデューティとが合致しなかったときに回路異常と判定するようにしたものである。
【００２６】
請求項５の発明に係わるＬＥＤ式灯器点灯装置は、請求項１ないし４のいずれか一の発明において、前記故障検出・インターフェース回路は、前記点灯制御回路の入力電流値が異常になったことを検出したときに回路異常として前記伝送装置を介して前記監視制御装置にアラームを出力することを特徴とする。
【００２７】
本発明は、例えば、故障検出・インターフェース回路に、点灯制御回路の入力電流値を監視する入力電流異常検出部を設け、点灯制御回路の入力電流値が予め定めた範囲を逸脱したことを検出したときは回路異常と判定するようにしたものである。
【００２８】
請求項６の発明に係わるＬＥＤ式灯器点灯装置は、請求項１ないし５のいずれか一の発明において、前記故障検出・インターフェース回路は、前記点灯制御回路の二次側が無負荷になったときに負荷異常として前記伝送装置を介して前記監視制御装置にアラームを出力することを特徴とする。
【００２９】
本発明は、例えば、故障検出・インターフェース回路に、点灯制御回路の二次側の無負荷を監視する無負荷検出部を設け、点灯制御回路の二次側が無負荷になったときは負荷異常と判定するようにしたものである。点灯制御回路の二次側の無負荷は、例えば過電圧保護回路の動作により判定する。
【００３０】
請求項７の発明に係わるＬＥＤ式灯器点灯装置は、請求項１ないし６のいずれか一の発明において、前記故障検出・インターフェース回路は、自己の前記ＬＥＤ式灯器の個別アドレスやグループアドレスを格納するアドレス設定部と、前記監視制御装置からの指令信号が前記アドレス設定部に設定されたアドレスと合致するときは前記監視制御装置からの指令信号に基づき前記ＬＥＤ式灯器を点灯または消灯するオンオフ制御部とを備えたことを特徴とする。
【００３１】
本発明は、監視制御装置からの指令信号に基づきＬＥＤ式灯器の点灯または消灯の制御を可能としたものである。
【発明の効果】
【００３２】
請求項１の発明によれば、点灯制御回路、伝送装置、伝送装置の伝送信号の異常を検出したときは、ＬＥＤ式灯器の点灯状態を予め設定されたフェールセーフモード状態へ強制的に移行させるので、灯火に対する信頼性を向上させることができる。請求項２の発明によれば、制御電源が故障した場合であってもＬＥＤ式灯器に点灯用電源を供給できる。
【００３３】
また、請求項３の発明によればＬＥＤ式灯器の点灯異常を監視でき、請求項４、５の発明によれば点灯制御回路の回路異常を監視でき、請求項６の発明によれば、点灯制御回路及びＬＥＤ式灯器の負荷異常を監視できる。請求項７の発明によれば、監視制御装置からＬＥＤ式灯器の点消灯制御を行うことができる。
【図面の簡単な説明】
【００３４】
【図１】本発明の実施の形態に係わるＬＥＤ式灯器点灯装置の構成図。
【図２】光源に白熱電球を用いた従来の電球式灯器点灯装置の構成図。
【図３】光源にＬＥＤを用いた従来のＬＥＤ式灯器点灯装置の構成図。
【発明を実施するための形態】
【００３５】
以下、本発明の実施の形態を説明する。図１は本発明の実施の形態に係わるＬＥＤ式灯器点灯装置の構成図である。交流定電流電源装置（ＣＣＲ）１１からゴム被覆絶縁変圧器１２を介してＬＥＤ式灯器点灯装置２１に交流定電流が入力される。ＬＥＤ式灯器点灯装置２１は、ＬＥＤ式灯器２２を点消灯制御する点灯制御回路２３と、監視制御装置２０と通信を行う伝送装置１９と、点灯制御回路２３と伝送装置１９との間に設けられた故障検出・インターフェース回路２８とから構成される。
【００３６】
点灯制御回路２３は、ゴム被覆絶縁変圧器１２を介して交流定電流電源装置１１からの交流定電流を入力し、全波整流回路２９、絶縁カレントトランス３０、３１に供給する。全波整流回路２９は交流定電流を全波整流し負荷調整回路３２に出力する。
【００３７】
絶縁カレントトランス３０には補助電源回路３３が接続され、点灯制御回路２３の補助電源を生成し点灯制御回路２３の各回路に補助電源を供給する。また、絶縁カレントトランス３１には入力電流検出回路３４が接続され、入力電流検出回路３４は、絶縁カレントトランス３１を介して入力した交流定電流電源からの電流を実効値検出してレベル判定回路３５に出力する。この入力電流値は光度比率を表しており、レベル判定回路３５ではこの光度比率を判定し光度切換回路３６に出力する。光度切換回路３６は、白熱電球の比光度−比電流特性の交流定電流をＬＥＤの比光度−比電流特性に基づく電流に変換し、オンデューティ制御を行うＰＷＭスイッチ回路３７に出力する。ＰＷＭスイッチ回路３７は、ＬＥＤ式灯器２２のＬＥＤを流れる電流が光度切換回路３６で変換された電流になるようにデューティ制御し、電源切替スイッチ３８を介してＬＥＤ式灯器２２のＬＥＤに出力する。これにより、ＬＥＤ式灯器２２のＬＥＤの光出力が所定の光度比率になるように制御される。
【００３８】
一方、負荷調整回路３２は、フィードバック制御によりＬＥＤ式灯器２２が消灯モードのときは所定の出力電圧を０とする。点灯電流検出回路４０は、ＰＷＭスイッチ回路３７によりＬＥＤ式灯器２２のＬＥＤに供給される点灯電流を検出し、帰還制御回路４１を介して負荷調整回路３２フィードバックしてＬＥＤ式灯器２２に供給する電流を一定に保つようにしている。
【００３９】
また、点灯制御回路２３には、点灯制御回路２３の二次側が無負荷になったことを検出し安全回路を動作させて点灯制御回路２３に過電圧が発生しないように保護する過電圧保護回路２５が設けられている。例えば、ＬＥＤ式灯器２２のＬＥＤが開放故障（断線故障）した場合やＬＥＤ式灯器２２までの配線が断線した場合には、点灯制御回路２３の二次側に過電圧が発生するので、この過電圧の発生により過電圧保護回路２５が動作する。さらに、点灯制御回路２３には、補助電源回路３３の異常を検出する補助電源回路故障検出部４３が設けられている。
【００４０】
点灯制御回路２３は、故障検出・インターフェース回路２８を介して伝送装置１９に接続されている。また、伝送装置１９は通信コネクタ４４を介して監視制御装置２０に接続され、通信コネクタ４５を介して下流側のＬＥＤ式灯器点灯制御装置２１に接続されている。伝送装置１９は、監視制御装置２０との通信及び監視制御装置２０からの信号を故障検出・インターフェース回路２８に送信する。また点灯制御回路２３の状態を故障検出・インターフェース回路２８を介して入力し、監視制御装置２０へその情報を送信する。伝送装置１９には、伝送装置１９の故障を検出する故障検出部４６が設けられている。
【００４１】
次に、故障検出・インターフェース回路２８には、監視制御装置２０から伝送装置１９を介して通信される伝送信号が異常となったことを検出する伝送信号異常検出部４７が設けられる。伝送信号の異常としては、例えば、伝送装置１９と故障検出・インターフェース回路２８との間の配線が外れたり、断線したとき、または伝送信号異常検出部４７により伝送信号の異常若しくは途切れが検出されたときなどである。
【００４２】
伝送装置１９内にはフェールセーフ部４８が設けられている。フェールセーフ部４８は、点灯制御回路２３、伝送装置１９、伝送信号が異常となったときに、ＬＥＤ式灯器２２の点灯状態を予め設定されたフェールセーフモード状態へ強制的に移行させて保持するものである。すなわち、フェールセーフ部４８は、故障検出部４６、故障検出・インターフェース回路２８の伝送信号異常検出部４７に接続され、伝送装置１９の故障検出部４６または伝送信号異常検出部４７により伝送装置１９の故障が検出されたとき、フェールセーフモード指令信号を後述するオンオフ制御部５５に出力して、このオンオフ制御部５５から出力されるＯＮ／ＯＦＦ信号に従って負荷調整回路３２が制御されて、ＬＥＤ式灯器２２の点灯状態を予め設定されたフェールセーフモード状態へ強制的に移行させて保持する。
【００４３】
ここで、自己のＬＥＤ式灯器２２のフェールセーフモード状態は、予めフェールセーフ部４８に設定しておく。これは、ＬＥＤ式灯器２２の設置場所によってフェールセーフモード状態が異なるためである。例えば、自己のＬＥＤ式灯器２２のフェールセーフモード状態が点灯状態である場合には、フェールセーフ部４８は、点灯制御回路２３、伝送装置１９、伝送信号が異常となったときは自己のＬＥＤ式灯器２２を点灯状態とする。逆に、自己のＬＥＤ式灯器２２のフェールセーフモード状態が消灯状態である場合には、フェールセーフ部４８は、点灯制御回路２３、伝送装置１９、伝送信号が異常となったときは、自己のＬＥＤ式灯器２２を消灯状態とする。
【００４４】
なお、図示は省略するが、監視制御装置２０から点灯制御回路２３、伝送装置１９、伝送信号の異常リセット要求データを受信したときは、フェールセーフ部４８はフェールセーフモード状態を解除するようにしてもよい。
【００４５】
また、故障検出・インターフェース回路２８は、点灯制御回路２３の補助電源回路故障検出部４３からの故障信号を入力したとき、ＰＷＭスイッチ３７からゴム被覆絶縁変圧器１２の二次側に切り替えを行う電源切換部４９を有している。補助電源回路３３が故障したときは、光度切換回路３６やＰＷＭスイッチ３７は正常に動作することができないので、ＬＥＤ式灯器２２への点灯用電源は正常でなくなる。そこで、フェールセーフモード状態が点灯状態であるＬＥＤ式灯器２２に対しては、電源切替部４９は電源切替スイッチ３８をＰＷＭスイッチ３７からゴム被覆絶縁変圧器１２の二次側に切り替え、ゴム被覆絶縁変圧器１２の二次側から直接的にＬＥＤ式灯器に点灯用電源を供給する。これにより、ＬＥＤ式灯器２２へはオンデューティ制御されない点灯用電源が供給されることになるが、ＬＥＤ式灯器２２は点灯状態を保持できる。
【００４６】
次に、故障検出・インターフェース回路２８は、点灯電流検出回路４０で検出されたＬＥＤ式灯器２２の点灯電流を記憶する点灯状態記憶部５０を有し、所定期間のＬＥＤ式灯器２２の点灯状態を点灯状態記憶部５０に更新記憶している。また、点灯電流検出回路４０で検出されたＬＥＤ式灯器２２の点灯電流は、ＬＥＤ式灯器２２の点灯状態として伝送装置１９を介して監視制御装置２０に伝送される。さらに、点灯電流検出回路４０で検出されたＬＥＤ式灯器２２の点灯電流は、電流異常検出器５１に入力される。電流異常検出器５１は、ＬＥＤ式灯器２２の点灯電流が所定値範囲を逸脱したとき、例えば、帰還制御回路４１などが故障し、ＬＥＤ式灯器２２への点灯電流が正常時の約±２５％以上になったときに点灯異常のアラームを伝送装置１９を介して監視制御装置２０に伝送する。
【００４７】
次に、故障検出・インターフェース回路２８のオンデューティ異常検出部５２は、点灯制御回路２３の入力電流検出回路３４で検出された点灯制御回路２３の入力電流値と、光度切換回路３６からＬＥＤ式灯器２２に供給される電流との関係から、ＬＥＤ式灯器２２に供給される電流が予め設定しているオンデューティに合致しているか否かを監視し、合致していないときには回路異常として伝送装置１９を介して監視制御装置２０にアラームを出力する。同様に、故障検出・インターフェース回路２８の入力電流異常検出部５６は、点灯制御回路２３の入力電流値が予め定めた範囲を逸脱して異常になったときに、回路異常として伝送装置１９を介して監視制御装置２０にアラームを出力する。
【００４８】
さらに、故障検出・インターフェース回路２８の無負荷検出部５３は、点灯制御回路２３の二次側が無負荷になったときに負荷異常として伝送装置１９を介して監視制御装置２０にアラームを出力する。点灯制御回路２３の二次側が無負荷になったことは、点灯制御回路２３の過電圧保護回路２５が動作したことで検出する。
【００４９】
このように、点灯制御回路２３への入力電流値が異常になったとき、光度切換回路３６によるＰＷＭ制御が異常になったとき、ＬＥＤ式灯器２２への点灯電流が異常になったとき、さらには、点灯制御回路２３の二次側が無負荷になったときに、故障検出・インターフェース回路２８は異常と判断し、伝送装置１９を介して監視制御装置２０にアラームを出力する。
【００５０】
次に、伝送装置１９のアドレス設定部５４には、自己のＬＥＤ式灯器２２の個別アドレスやグループアドレスが格納されている。個別アドレスは自己のＬＥＤ式灯器２２を識別するためのアドレスであり、監視制御装置２０において、この個別アドレスでＬＥＤ式灯器２２を識別し点消灯の制御を行う。また、グループアドレスは、同一の標識灯として、自己のＬＥＤ式灯器２２と他のＬＥＤ式灯器２２とが混在してグルーピングして配置された場合に、そのグルーピングされたＬＥＤ式灯器２２のグループを識別するためのアドレスであり、監視制御装置２０において、このグループアドレスでグルーピングされたＬＥＤ式灯器２２を識別し点消灯の制御を行う。
【００５１】
すなわち、伝送装置１９のオンオフ制御部５５は、監視制御装置２０からの指令信号がアドレス設定部５４に設定されたアドレスと合致するときは、監視制御装置２０からの指令信号に基づき自己のＬＥＤ式灯器２２を点消灯制御する。
【００５２】
このように、各々のＬＥＤ式灯器点灯装置２１には、個別アドレスとグループアドレスを設定でき、個別でもグループでも点消灯制御ができる。また、電源が喪失した場合でも、個別アドレスやグループアドレスはアドレス設定部５４に保有しており、フェールセーフモードはフェールセーフ部４８に保有し、ＬＥＤ式灯器の点灯状態は点灯状態記憶部５０に保有している。
【００５３】
本発明の実施の形態によれば、点灯制御回路２３と故障検出・インターフェース回路２８と伝送装置１９とを一体することにより、点灯制御回路２３の故障を容易に監視することが可能となる。また、点灯制御回路２３及び伝送信号系統が故障した際のフェールセーフ制御も可能とし、ＬＥＤ式灯器の灯火に対する信頼性を向上させ、空港における安全性を向上させたＬＥＤ式灯器点灯装置を提供できる。
【符号の説明】
【００５４】
１１…交流定電流電源装置、１２…ゴム被覆絶縁変圧器、１３…端末制御器、１４…電球式灯器、１５…制御回路、１６…スイッチ、１７…電流検出器、１８…電圧検出器、１９…伝送装置、２０…監視制御装置、２１…ＬＥＤ式灯器点灯装置、２２…ＬＥＤ式灯器、２３…点灯制御回路、２４…直流電源回路、２５…過電圧保護回路、２６…スイッチ回路、２７…スイッチ制御回路、２８…故障検出・インターフェース回路、２９…全波整流回路、３０、３１…絶縁カレントトランス、３２…負荷調整回路、３３…補助電源回路、３４…入力電流検出回路、３５…レベル判定回路、３６…光度切換回路、３７…ＰＷＭスイッチ回路、３８…電源切替スイッチ、３９…平滑回路、４０…点灯電流検出回路、４１…帰還制御回路、４３…補助電源回路故障検出部、４４、４５…通信コネクタ、４６…故障検出部、４７…伝送信号異常検出部、４８…フェールセーフ部、４９…電源切替部、５０…点灯状態記憶部、５１…電流異常検出器、５２…オンデューティ異常検出部、５３…無負荷検出部、５４…アドレス設定部、５５…オンオフ制御部、５６…入力電流異常検出部
【図１】
2011070947.tif 000003
【図２】
2011070947.tif 000004
【図３】
2011070947.tif 000005